(57)【特許請求の範囲】
【請求項１】
氷塊を貯留する貯氷庫(46)の内部に製氷水タンク(56)が配設され、該製氷水タンク(56)の開口部(70)を閉成する蓋部材(82)の下面(90a)に、製氷水タンク(56)内に挿入されて該タンク(56)に貯留される製氷水の水量を検出する検知手段(32)が取付けられた製氷機において、
前記製氷水タンク(56)は、貯氷庫(46)に着脱自在に配設され、
前記蓋部材(82)は、前記貯氷庫(46)に固定手段(84)を介して固定される固定部(86)と、該固定部(86)にヒンジ部(88)を介して連結されて前記製氷水タンク(56)の開口部(70)を閉成する閉成姿勢、および上方へ傾動して該開口部(70)を開放する開放姿勢に変化可能な傾動部(90)とからなり、該傾動部(90)に前記検知手段(32)が取付けられ、
前記蓋部材(82)の傾動部(90)を開放姿勢とすることで、前記検知手段(32)が前記製氷水タンク(56)の着脱を妨げないタンク外部に臨むよう構成した
ことを特徴とする製氷機。
【請求項２】
前記傾動部(90)の下面(90a)に、前記検知手段(32)を覆うカバー部材(106)が設けられ、
前記カバー部材(106)には、前記ヒンジ部(88)側の側部における前記傾動部(90)側の縁部にホース挿通部(106a)が開設され、
前記カバー部材(106)の内部からホース挿通部(106a)を介して貯氷庫(46)の外部に導出されるリード線用ホース(76)に、前記検知手段(32)に接続するリード線(38)が挿通されて貯氷庫(46)外部へ案内され、
前記ホース挿通部(106a)の寸法は、前記リード線用ホース(76)の外形寸法より小さく設定されて、該リード線用ホース(76)をホース挿通部(106a)および傾動部(90)で挟持するよう構成した請求項１記載の製氷機。
【請求項３】
前記傾動部(90)の周縁部には、該傾動部(90)が前記閉成姿勢となったときに前記製氷水タンク(56)の上部を覆蓋するフレーム部(90b)が形成され、該フレーム部(90b)における前記ヒンジ部(88)側の側部に、傾動部(90)の開放姿勢時に前記リード線用ホース(76)がフレーム部(90b)に接触するのを防止する切欠部(92)が形成されている請求項２記載の製氷機。
【発明の詳細な説明】
【技術分野】
【０００１】
この発明は、製氷機に関し、更に詳細には、氷塊を貯留する貯氷庫内部に配設された製氷水タンクの開口部に、該開口部を開閉する蓋部材が設けられた製氷機に関するものである。
【背景技術】
【０００２】
従来より喫茶店やレストラン等の厨房では、所要形状の氷塊を製造する製氷機が、その用途や目的に応じて好適に使用されており、そのなかに、チップアイスやフレークアイスと云った小片状の氷塊(圧縮氷)を連続的に製造する図６に示すオーガ式製氷機１０がある(特許文献１参照)。このオーガ式製氷機１０は、圧縮氷を貯留する貯氷室１２を内部画成する貯氷庫１４と、該貯氷庫１４の下側に画成される機械室１８とに区画されている。機械室１８には、製氷ユニット(図示せず)が収納されており、この製氷ユニットを運転することで圧縮氷が製造されて、前記貯氷室１２内部に製造された圧縮氷が堆積貯留される。
【０００３】
前記製氷ユニットを構成し、所要量の製氷水を貯留する製氷水タンク２０は、その開口部２０ａが、貯氷庫１４内で上方に向けて開放する状態で、該貯氷庫１４の所要個所に配設されると共に、製氷水タンク２０には、開口部２０ａを開閉する蓋部材２２が着脱自在に取付けられている。なお、蓋部材２２の上に圧縮氷が直に貯留されないようにするため、プレート２４が製氷水タンク２０の上方に配設されている。また、貯氷庫１４の前側上方(図１の左側)には、氷取出口２６が開設されると共に、この氷取出口２６は、貯氷庫１４の上面を形成する天板２８の前側にスライド収納されるよう配設された扉３０により開閉される。従って、貯氷室１２に貯留された圧縮氷を使用する場合には、扉３０を開けて氷取出口２６を開放した状態で、スコップ等を利用して圧縮氷を取り出すように構成される。
【０００４】
ところで、製氷水タンク２０に貯留される製氷水としては、一般的に水道水が使用されるが、この水道水にはカルキ等が含有されており、カルキから生じる水垢が製氷水タンク２０の内壁に付着してしまう。従って、衛生管理の観点から、製氷水タンク２０を定期的に清掃する必要がある。従来、製氷水タンク２０を洗浄する場合、貯氷庫１４の上端から天板２８を取外して貯氷庫１４の上部開口１４ａを開放すると共に、貯氷庫１４内部の氷を除いた状態で前記プレート２４を外し、更に、蓋部材２２を製氷水タンク２０から取外すことで、該製氷水タンク２０の開口部２０ａを貯氷庫１４内で開放させる。そして、製氷水タンク２０が貯氷庫１４に取付けられたままの状態で、洗浄等のメンテナンス作業がが行なわれる。
【０００５】
また、蓋部材２２の下面(裏面)には、図７に示すように、製氷水タンク２０内の製氷水の水位を検出するためのフロートスイッチ３２が配設されている。このフロートスイッチ３２は、２組のフロート３４,３４およびリードスイッチ３６,３６が一体成形されたものであり、リードスイッチ３６が検出した信号を送るリード線３８が、蓋部材２２とフロートスイッチ３２との接続部４０から上方へ延出し、前記蓋部材２２とプレート２４との間の空間を経て、前記機械室１８内に配設された図示しない制御部に接続される。またリード線３８は、前記接続部４０の部分でリードスイッチ３６に対して着脱自在に構成されており、蓋部材２２を製氷水タンク２０から取外す際に、リード線３８は接続部４０から取外される。
【特許文献１】特開２００３―１０６７２１号公報
【発明の開示】
【発明が解決しようとする課題】
【０００６】
前述した従来の製氷水タンク２０は、メンテナンスをする際、リード線３８を接続部４０から取外して蓋部材２２を製氷水タンク２０から取外す必要があるが、この作業をメンテナンス毎に行なうのは非常に煩雑である。また、リード線３８を接続部４０から取外した場合に、リード線３８は貯氷庫１４内へ露出してしまうので、製氷水タンク２０を取外す際の障害となる場合がある。しかも、貯氷庫１４内でリード線３８が露出することは、食品衛生上問題である。
【０００７】
更に、製氷水タンク２０を洗浄する場合に、蓋部材２２を取外して製氷水タンク２０の開口部２０ａだけを開放した状態では、製氷水タンク２０内の隅々まで洗浄することは難しく、水垢等を完全に除去しきれない場合がある。殊に、製氷水タンク２０が貯氷庫１４内の奥側に配設されている場合などは、更に困難な作業が強いられ、結果として清掃やメンテナンスの作業効率が大幅に低下してしまう。
【０００８】
そこで本発明は、従来の製氷機に内在する前記問題に鑑み、これを好適に解決するべく提案されたものであって、貯氷庫に対して容易に製氷水タンクを着脱することができ、しかも、製氷水タンクを取外した後に検知手段のリード線が貯氷庫側に露出することがない製氷機を提供することを目的とする。
【課題を解決するための手段】
【０００９】
前記課題を克服し、所期の目的を達成するため、本発明に係る製氷機は、
氷塊を貯留する貯氷庫の内部に製氷水タンクが配設され、該製氷水タンクの開口部を閉成する蓋部材の下面に、製氷水タンク内に挿入されて該タンクに貯留される製氷水の水量を検出する検知手段が取付けられた製氷機において、
前記製氷水タンクは、貯氷庫に着脱自在に配設され、
前記蓋部材は、前記貯氷庫に固定手段を介して固定される固定部と、該固定部にヒンジ部を介して連結されて前記製氷水タンクの開口部を閉成する閉成姿勢、および上方へ傾動して該開口部を開放する開放姿勢に変化可能な傾動部とからなり、該傾動部に前記検知手段が取付けられ、
前記蓋部材の傾動部を開放姿勢とすることで、前記検知手段が前記製氷水タンクの着脱を妨げないタンク外部に臨むよう構成したことを特徴とする。
請求項１の発明によれば、製氷水タンクは貯氷庫内部に着脱自在に配設されると共に、製氷水タンクの開口部を開閉する蓋部材は、開放時に検知手段が製氷水タンクの着脱を妨げない姿勢に設定されているので、製氷水タンクを着脱する際に検知手段が障害となることがない。従って、貯氷庫に対して容易に製氷水タンクを着脱することが可能となり、洗浄等のメンテナンス作業を効率的に行ない得る。また、前記蓋部材が固定部および傾動部から構成されるので、製氷水タンクの開口部を容易に開閉することが可能となり、製氷水タンクの着脱作業も効率的となる。
【００１０】
請求項２に係る発明は、前記傾動部の下面に、前記検知手段を覆うカバー部材が設けられ、
前記カバー部材には、前記ヒンジ部側の側部における前記傾動部側の縁部にホース挿通部が開設され、
前記カバー部材の内部からホース挿通部を介して貯氷庫の外部に導出されるリード線用ホースに、前記検知手段に接続するリード線が挿通されて貯氷庫外部へ案内され、
前記ホース挿通部の寸法は、前記リード線用ホースの外形寸法より小さく設定されて、該リード線用ホースをホース挿通部および傾動部で挟持するよう構成した。
請求項２の発明によれば、前記検知手段はカバー部材によって保護されるので、製氷水タンクを取外す際に、万が一製氷水タンクが検知手段と接触しても、該検知手段が破損することがない。また、検知手段から導出するリード線は、リード線用ホースを介して製氷水タンク内部から貯氷庫外部へと案内されるので、蓋部材が開放姿勢にあってもリード線が貯氷庫内へ露出することがない。従って、製氷水タンクの着脱時に、リード線が製氷水タンクに引っ掛かったりして、着脱作業に支障を来たすことがない。しかも、リード線が貯氷庫内へ露出することがないので、安全かつ衛生的である。また、ホース挿通部に挿通されたリード線用ホースを傾動部およびホース挿通部で挟持することができる。
【００１１】
請求項３に係る発明は、前記傾動部の周縁部には、該傾動部が前記閉成姿勢となったときに前記製氷水タンクの上部を覆蓋するフレーム部が形成され、該フレーム部における前記ヒンジ部側の側部に、傾動部の開放姿勢時に前記リード線用ホースがフレーム部に接触するのを防止する切欠部が形成されている。
請求項３の発明によれば、傾動部のフレーム部に切欠部を設けたので、傾動部を開放した際に、フレーム部がリード線用ホースを挟み込むのを防止することができる。
【発明の効果】
【００１２】
本発明に係る製氷機によれば、貯氷庫に対して容易に製氷水タンクを着脱することが可能となる。また該製氷水タンクを取外した後に、検知手段のリード線が貯氷庫内へ露出することもない。
【発明を実施するための最良の形態】
【００１３】
次に、本発明に係る製氷機につき、好適な実施例を挙げて、添付図面を参照して以下に説明する。なお、実施例では、オーガスクリューを備えた製氷機構により製造した所定寸法の氷塊を貯留するオーガ式製氷機を、本発明の製氷機として採用した場合を示す。しかしながら、本発明を実施可能な製氷機としては、このオーガ式製氷機に限定される訳でなく、噴射式製氷機等、他の製氷機を採用することも可能である。すなわち、貯氷庫内部に製氷水タンクが配設された製氷機であれば、如何なる製氷機であっても本発明を適用可能である。また、以下の説明では、従来技術で説明した同一部材については、同じ符号を付して詳細説明は省略する。
【実施例】
【００１４】
図１および図２は、本発明の実施例に係るオーガ式製氷機４２を示すものである。オーガ式製氷機４２の製氷機本体４４の下側には、機械室１８が画成されており、この機械室１８の上方に貯氷室１２が内部画成された貯氷庫４６が配設されている。機械室１８の内部には、製氷機構４８や冷凍機構５０等の製氷ユニット５２が配設されており、該製氷ユニット５２で製造された氷塊が貯氷室１２に堆積貯留されるよう構成される。
【００１５】
製氷機本体４４の上側に設けられた貯氷庫４６は、上方に上部開口４６ａが画成された箱体であって、該上部開口４６ａに天板２８が着脱可能に配設される。この貯氷庫４６の底部は、図２に示すように、氷取出口２６が設けられる前方側が低くなると共に、奥側が高くなるよう所要の段差が設定されている。そして、機械室１８に収納される前記製氷ユニット５２を構成する冷凍機構５０が、貯氷庫４６における前底部５４の下側に配置されると共に、製氷機構４８および製氷水タンク５６が、貯氷庫４６における奥底部５８と対応する位置に配置される。
【００１６】
前記貯氷庫４６における奥底部５８の上面は、図１に示すように、該奥底部５８の前端まで延在する平坦な第１フラット面部５８ａおよび該第１フラット面部５８ａよりも下方に下がった第２フラット面部５８ｂが幅方向に隣接して段状に形成されている。そして、第１フラット面部５８ａから前記製氷機構４８を構成する冷凍ケーシング６０の上端部が貫通して貯氷庫４６内に臨むと共に、製氷水タンク５６が第２フラット面部５８ｂ上に着脱可能に配設される。なお、第１フラット面部５８ａの上面には、該第１フラット面部５８ａの略全面を覆うプレート６２が着脱可能に載置され、該プレート６２に形成した通孔６２ａから、冷凍ケーシング６０の上端部が突出している。
【００１７】
また、前記第２フラット面部５８ｂの所要位置には、通孔部５８ｃが画成され、該通孔部５８ｃに製氷水タンク５６の挿入部(後述)６４を嵌め込むための接続管６６が埋め込まれている。この接続管６６の機械室１８側の開放端は、製氷機構４８に接続する吸水管６８と接続しており、製氷水タンク５６に貯留された製氷水が吸水管６８を介して製氷機構４８に供給される。
【００１８】
図２に示すように、前記製氷ユニット５２を構成する冷凍機構５０は、凝縮器１１０および圧縮機１１２等から構成される。また、製氷機構４８は、冷凍機構５０から導出する蒸発器(図示せず)が外周に巻回された冷凍ケーシング６０と、この冷凍ケーシング６０の内部に回転可能に配設されたオーガスクリュー(図示せず)と、冷凍ケーシング６０の上部内側に配設されてフレーク状の氷を圧縮する押圧頭１１４等から構成される。
【００１９】
前記製氷ユニット５２の製氷運転が開始されると、製氷水タンク５６から前記吸水管６８を介して冷凍ケーシング６０に供給された製氷水は、ケーシング内壁面から徐々に氷結を始め、層状の薄氷が形成され、オーガスクリューによりその薄氷が削り取られつつ上方へ移送される。移送されたフレーク状の氷は、押圧頭１１４で圧縮され、得られた圧縮氷がカッターにより所要形状に切断されながら氷出口１１６を介して貯氷庫４６の奥底部５８側から放出され、貯氷室１２に貯留される。
【００２０】
前記第２フラット面部５８ｂ上に配設された製氷水タンク５６は、上方に開口部７０が形成された箱体であって、該開口部７０は前記プレート６２と略等しい高さに設定されている。また、図３に示すように、製氷水タンク５６の底部７２に円筒状の挿入部６４が形成され、底部７２の内壁面はこの挿入部６４へ向けて下方傾斜している。そして、この挿入部６４を前記接続管６６に嵌め込むことで、製氷水タンク５６は第２フラット面部５８ｂ上に着脱自在に取付けられる。更に、製氷水タンク５６における製氷機構４８側の側面には、図４に示すように、上方側が開放した矩形状の挿通部７４が開設され、後述のリード線用ホース７６の挿通を許容し得るようになっている。なお、製氷水タンク５６の側面下方には、該製氷水タンク５６から下向きに突出して最下端が平坦な下方リブ７８,７８が形成されると共に、製氷水タンク５６における製氷機構４８側の側面には側面リブ８０が側方に突出するように形成されている。そして、製氷水タンク５８を取付ける際に、これら下方リブ７８,７８および側面リブ８０が、第２フラット面部５８ｂおよび該第２フラット面部５８ｂから立上がっている側壁に当接することで、製氷水タンク５６が第２フラット面部５８ｂ上に安定的に設置される。
【００２１】
製氷水タンク５６の開口部７０を開閉自在に閉成する蓋部材８２は、図１および図３に示すように、前記プレート６２に固定手段８４を介して取付けられる固定部８６と、ヒンジ部８８を介して固定部８６に対して傾動自在に連結される傾動部９０とから構成される。固定部８６は、その裏面が前記プレート６２と当接した状態で固定手段８４によって固定され、その製氷水タンク５６側の端部にヒンジ部８８が設けられている。この固定手段８４としては、固定部８６をプレート６２上に確実に固定して、蓋部材８２が容易に取外せないよう強い締結力を備えたものが好ましく、例えば、強固なボルトやネジ等の固定部材が好適に採用される。
【００２２】
前記傾動部９０は、製氷水タンク５６の開口部７０を閉成し得るよう該開口部７０の開口寸法よりも大きく形成された板材であって、その下面９０ａには、製氷水タンク５６の上部を覆蓋するフレーム部９０ｂが傾動部９０の周縁に沿って形成されている。また傾動部９０は、図３(ａ)に示す閉成姿勢から図３(ｂ)に示す開放姿勢まで、前記ヒンジ部８８を支点として傾動自在に構成されている。なお、図４および図５に示すように、フレーム部９０ｂにおける製氷機構４８側の面には、所要の切欠部９２が形成されている。すなわち、この切欠部９２は、図３(ｂ)に示すように、傾動部９０が開放姿勢となった状態で、リード線用ホース７６がフレーム部９０ｂと接触しないよう設けられるものである。
【００２３】
図１に示すように、傾動部９０の上面９０ｃにおけるヒンジ部８８の反対側の端部には、該端部から上方へ向けて直角に立上がる仮止め部９４が形成されている。仮止め部９４の略中央部には、図４に示す如く、通孔９４ａが開設され、図１に示す如く、傾動部９０(蓋部材８２)が閉成姿勢にある場合において、仮止め部９４が臨む貯氷庫４６の内壁面に設けられたネジ孔９６と対向するようになっている。そして、ネジ等の仮止め手段９８を通孔９４ａを介してネジ孔９６にネジ止めすることで、仮止め部９４が固定されて傾動部９０は閉成姿勢に維持される。なお、仮止め手段９８は、傾動部９０を一時的に閉成姿勢に維持するものであり、強固な固定力は必要としない。また、この仮止め手段９８は蓋部材８２を開放する度に取外されるので、その着脱は容易なものが好ましい。
【００２４】
図３および図４に示すように、傾動部９０の上面９０ｃには給水ホース挿通孔１０２が設けられ、貯氷庫４６の奥側の内壁面に設けられた給水ホース１００は、該給水ホース挿通孔１０２を介して製氷水タンク５６内へ臨むよう構成される。更に、この上面９０ｃには、傾動部９０が閉成姿勢にある場合に給水ホース１００を上方から覆う給水ホースカバー１０４が設けられている。なお、この給水ホースカバー１０４は、蓋部材８２を開放させる際の把手としても機能する。
【００２５】
前記傾動部９０の下面９０ａには、図３に示すように、下方が開放した筒状のカバー部材１０６が着脱自在に取付けられ、該カバー部材１０６の内部に、製氷水タンク５６内の水量を検出するフロートスイッチ(検知手段)３２が収容配置されている。このカバー部材１０６は、合成樹脂等の弾性材から形成されて、内部に収容されるフロートスイッチ３２を保護し得るようになっている。また、図３に示すように、カバー部材１０６の上部側面にリード線用ホース７６の挿通を許容するホース挿通部１０６ａが開設されている。このホース挿通部１０６ａの縦寸法は、リード線用ホース７６の外径寸法よりも小さく設定されており、カバー部材１０６を傾動部９０に取付けられた状態で、リード線用ホース７６を傾動部９０とホース挿通部１０６ａとで挟み込むようになっている。
【００２６】
前記カバー部材１０６の内部に収容配置されるフロートスイッチ３２は、フロート３４,３４とリードスイッチ３６,３６とが一体成形された、従来公知の構造のものが使用されている。実施例においては、フロート３４およびリードスイッチ３６が２組設けられたものが使用される。そして、蓋部材８２を開放させた際に、図３(ｂ)に示すように、フロートスイッチ３２は蓋部材８２と共に傾動し、製氷水タンク５６内から完全に抜き出た状態となる。すなわち、蓋部材８２が開放姿勢にある場合に、フロートスイッチ３２は製氷水タンク５６の上方に位置するので、該製氷水タンク５６の着脱を妨げないよう構成される。
【００２７】
傾動部９０の下面９０ａに固定されたフロートスイッチ３６の台部３２ａからは、リードスイッチ３６が検出した検知信号を送るリード線３８が延出している。このリード線３８は、機械室１８に配設された制御部(図示せず)と接続しており、図３に示すように、製氷水タンク５６内部から前記奥底部５８内へ至る部分がリード線用ホース７６によって覆われている。すなわち、リード線用ホース７６は、リード線３８が貯氷庫４６内で露出しないよう、カバー部材１０６内部から、奥底部５８に設けられた通孔５８ｃを介して機械室１８内部に臨む位置までに亘って配設される。
【００２８】
前述したように、リード線用ホース７６は、製氷水タンク５６の挿通部７４およびカバー部材１０６のホース挿通部１０６ａを介して、カバー部材１０６内部へ延在し、製氷水タンク５６内の端部付近がホース挿通部１０６ａによって挟み込まれた状態で固定される。また、リード線３８は、リード線用ホース７６内をある程度の自由状態で挿通されて、該ホース７６内を移動し得るようになっている。すなわち、図３(ｂ)に示すように、蓋部材８２を開放させる際にリード線３８は若干引っ張られるが、該リード線３８を機械室１８内に余裕を持たせて設けることで、リード線用ホース７６内をリード線３８が移動し、蓋部材８２はスムーズに開放される。また、蓋部材８２の開放時に、リード線用ホース７６は上方へ略直線状に延在し、製氷水タンク５６の着脱時にリード線用ホース７６が邪魔にならないよう構成される。なお、リード線用ホース７６は、前記奥底部５８の通孔５８ｃに嵌め込まれたパッキン１０８によって固定される。
【００２９】
(実施例の作用)
次に、実施例に係るオーガ式製氷機４２の作用につき、以下に説明する。製氷運転時には、製氷機構４８から圧縮氷が放出され、該圧縮氷は貯氷室１２に堆積される。この時、前記蓋部材８２の傾動部９０は閉成姿勢にあるので、製氷機構４８から放出された圧縮氷が製氷水タンク５６の内部へ入ることはない。
【００３０】
オーガ式製氷機４２の運転を中止して、製氷水タンク５６を洗浄する際には、先ず始めに、製氷機本体４４の上部に配設された扉３０を開放し、氷取出口２６から貯氷庫４６内の圧縮氷を取り除く。そして、前記傾動部９０の仮止め部９４を固定する仮止め手段９８を解除し、前記給水ホースカバー１０４を摘んで、図３(ａ),(ｂ)に示すように、傾動部９０を閉成姿勢から開放姿勢まで傾動させる。この時、傾動部９０のフレーム部９０ｂには切欠部９２が設けられているので、傾動部９０を開放した際、フレーム部９０ｂが前記リード線用ホース７６を挟み込むことはない。
【００３１】
また、フロートスイッチ３２のリード線３８は、リード線用ホース７６内に収容されているので、蓋部材８２の開放時であってもリード線３８が貯氷庫４６内へ露出することはなく、安全かつ衛生的である。更に、図３(ｂ)に示すように、リード線用ホース７６の貯氷庫４６内に延在する部分は、蓋部材８２の開放時に略直線状となるため、製氷水タンク５６を取外す際に干渉することがない。更にまた、リード線３８は、リード線用ホース７６内を自由状態で挿通され、しかも、前記機械室１８内に余裕を持たせて配設されているので、蓋部材８２を開放した際にリード線３８が引っ張られても、リード線用ホース７６内を自由に移動することができる。従って、蓋部材８２をスムーズに開放させることが可能となり、リード線３８が切れたりする危険もない。
【００３２】
蓋部材８２を開放させた後に、製氷水タンク５６を奥底部５８の第２フラット面部５８ｂから取外す。すなわち、製氷水タンク５６を上方に持ち上げ、前記接続管６６に嵌め込まれている製氷水タンク５６の挿入部６４を引き抜くことで、製氷水タンク５６は容易に第２フラット面部５８ｂから取外すことが可能となる。しかも、開放姿勢にある傾動部９０の下面９０ａに取付けられたフロートスイッチ３２は、製氷水タンク５６の上方側に移動しているので、該製氷水タンク５６を取外す際に妨げとなることはなく、効率的に取外すことができる。
【００３３】
製氷水タンク５６を洗浄した後、再び、貯氷庫４６内に取付ける際には、上記した取外し作業と逆の手順で行なわれる。すなわち、蓋部材８２を開放姿勢にした状態で、製氷水タンク５６の挿入部６４を接続管６６に嵌め込み、前記第２フラット面部５８ｂ上に取付ける。この時、蓋部材８２の開放姿勢は、フロートスイッチ３２が製氷水タンク５６の着脱を妨げない位置になるよう設定されているので、製氷水タンク５６を容易に貯氷庫４６内へ取付けることができる。また、製氷水タンク５６には、前記下方リブ７８,７８および側面リブ８０が形成されているので、これらのリブ７８,７８,８０が、前記第２フラット面部５８ｂおよび該第２フラット面部５８ｂから立上がっている側壁に当接することで、製氷水タンク５６は安定的に第２フラット面部５８ｂに取付けられる。
【００３４】
そして、蓋部材８２の傾動部９０を開放姿勢から閉成姿勢となるよう傾動させて、製氷水タンク５６の開口部７０を閉成し、前記仮止め手段９８によって仮止め部９４を固定する。すなわち、実施例に係るオーガ式製氷機４２は、製氷水タンク５６を貯氷庫４６に取付ける場合であっても、スムーズに取付け作業を行ない得る。
【００３５】
なお、前記仮止め部９４は、締結力の弱いネジ等の仮止め手段９８によって固定されているので、容易に仮止め部９４の固定を解除することができる。また、蓋部材８２の固定部８６は、強い締結力を有したネジ等の固定手段８４によって固定されているので、容易に固定部８６を取外すことができない。従って、メンテナンス者が固定部８６を誤って外してしまい、蓋部材８２を引っ張ることでリード線３８が切れてしまうと云った事故を防止することができる。
【００３６】
以上に示した実施例では、検知手段としてフロートスイッチ３２を使用した場合を示したが、製氷水タンク５６内の水量を検出し得るものであれば、他の水量検知センサー等を使用し得る。また、実施例では、貯氷庫４６が機械室１８の上方に画成されたオーガ式製氷機４２を示したが、貯氷庫４６が機械室１８の側方に配設された製氷機であってもよい。
【図面の簡単な説明】
【００３７】
【図１】本発明の好適な実施例に係るオーガ式製氷機の一部を破断して示す正面図である。
【図２】実施例に係るオーガ式製氷機の縦断側面図である。
【図３】実施例に係るオーガ式製氷機における要部を拡大して示す断面図であって、(ａ)は蓋部材が閉成姿勢にある場合を示し、(ｂ)は蓋部材が開放姿勢にある場合を示す。
【図４】製氷水タンクおよび蓋部材を示す拡大図である。
【図５】製氷水タンクおよび蓋部材を示す斜視図である。
【図６】従来の技術に係るオーガ式製氷機を示す概略構成図である。
【図７】従来の製氷水タンクを示す概略図である。
【符号の説明】
【００３８】
３２ フロートスイッチ(検知手段)，３８ リード線，４６ 貯氷庫
５６ 製氷水タンク, ７０ 開口部, ７６ リード線用ホース, ８２ 蓋部材
８４ 固定手段, ８６ 固定部, ８８ ヒンジ部, ９０ 傾動部, ９０ａ 下面
９２ 切欠部，９０ｂ フレーム部，１０６ カバー部材，１０６ａ ホース挿通部
【図１】
0004794941.tif 000002
【図２】
0004794941.tif 000003
【図３】
0004794941.tif 000004
【図４】
0004794941.tif 000005
【図５】
0004794941.tif 000006
【図６】
0004794941.tif 000007
【図７】
0004794941.tif 000008